(57)【要約】【課題】プリントを良好な状態で行うことにより、紙詰まりやプリント画像の画質低下を防止する。【解決手段】撮像ユニット３と携帯型プリンタ４とを必要に応じて着脱自在にする。撮像ユニット３を装着すると、撮像ユニット３と携帯型プリンタ４とが電気的に接続される。携帯型プリンタ４を把持した状態でレリーズボタン１０を押圧操作して撮影を行う。携帯型プリンタ４の下面の突出部２７には、フイルム排出口と、タッチセンサとを設ける。携帯型プリンタ４を把持する指がフイルム排出口を塞ぐときには、この指がタッチセンサにより検知され、プリント動作が行われない。【選択図】図９
2007105940.tif 000002
【特許請求の範囲】
【請求項１】
内部に収納した記録媒体上に画像データに基づいて画像を記録し、この記録媒体を排出口から排出する携帯型プリンタにおいて、
前記排出口の近傍に設けられ、携帯型プリンタを把持する指が前記排出口に位置したときに、この指を検知する指検知手段と、
前記指検知手段の検知結果に基づいてプリント動作を制限する制御手段とを備えたことを特徴とする携帯型プリンタ。
【請求項２】
前記指検知手段が指を検知したときに警告を発する警告手段を備えたことを特徴とする請求項１記載の携帯型プリンタ。
【請求項３】
前記指検知手段は指の接触を検知するタッチセンサであり、このタッチセンサは前記排出口に沿って設けられていることを特徴とする請求項１または２記載の携帯型プリンタ。
【請求項４】
前記記録媒体を前記排出口に向けて搬送しながら、この搬送する記録媒体上に画像を記録することを特徴とする請求項１ないし３いずれか１項記載の携帯型プリンタ。
【請求項５】
請求項１ないし４いずれか１項記載の携帯型プリンタと、
撮影レンズ及び撮像素子を有し、前記携帯型プリンタに着脱自在に装着することに伴って前記携帯型プリンタとの間で電気的に接続される撮像ユニットとから構成され、
前記携帯型プリンタ及び前記撮像ユニットのいずれか一方に設けられ、前記撮像ユニットを装着し且つ前記携帯型プリンタを把持した状態で操作されるレリーズボタンと、
前記レリーズボタンの操作に応答して前記撮像素子により画像データを取得し、この画像データに基づいてプリント動作を行うプリント手段とを備えたことを特徴とするプリントシステム。
【請求項６】
前記制御手段は、前記指検知手段が指を検知している間は前記レリーズボタンを無効化することにより、前記プリント手段によるプリント動作を行わせないようにすることを特徴とする請求項５記載のプリントシステム。
【請求項７】
被写体を撮像素子により撮像して得られた画像データに基づいて、内部に収納した記録媒体上に画像を記録する印刷機能付きデジタルカメラにおいて、
画像記録後の記録媒体を排出する排出口の近傍に設けられ、デジタルカメラを把持する指が前記排出口に位置したときに、この指を検知する指検知手段と、
前記指検知手段の検出結果に基づいてプリント動作を制限する制御手段とを備えたことを特徴とする印刷機能付きデジタルカメラ。
【請求項８】
前記指検知手段が指を検知したときに警告を発する警告手段を備えたことを特徴とする請求項７記載の印刷機能付きデジタルカメラ。
【請求項９】
前記指検知手段は指の接触を検知するタッチセンサであり、このタッチセンサは前記排出口に沿って設けられていることを特徴とする請求項７または８記載の印刷機能付きデジタルカメラ。
【請求項１０】
前記記録媒体を前記排出口に向けて搬送しながら、この搬送する記録媒体上に画像を記録することを特徴とする請求項７ないし９いずれか１項記載の印刷機能付きデジタルカメラ。
【発明の詳細な説明】
【技術分野】
【０００１】
本発明は、内部に収納した記録媒体上に画像データに基づいて画像を記録して排出する携帯型プリンタ、プリントシステム、及び印刷機能付きデジタルカメラに関する。
【背景技術】
【０００２】
デジタルカメラやカメラ付き携帯電話などの撮影機器から赤外線通信により画像データを受信し、この画像データに基づいてプリンタ内部に収納したインスタントフイルムに画像を記録する携帯型プリンタが知られている。このような携帯型プリンタは、様々な利用状況があり、例えば、手に持った状態でプリント動作を行ったり、傾けた状態でプリント動作を行ったりする場合がある。
【０００３】
特許文献１及び特許文献２に記載された携帯型プリンタでは、プリンタが倒立状態にされたとき、つまりフイルム排出口が下に向けられて設置されたときには、紙詰まりやプリントミスを回避するためにプリント動作を行わないようにしている。特許文献１に記載された携帯型プリンタでは、フイルム排出口近傍に機械的なスイッチを設け、プリンタの自重によりスイッチがオンになったときに、カメラが倒立状態になっていると判断している。また、特許文献２に記載された携帯型プリンタは姿勢検出センサを内蔵している。
【特許文献１】特開２００１−２３２９０９号公報
【特許文献２】特開２００１−２３２８９６号公報
【発明の開示】
【発明が解決しようとする課題】
【０００４】
上記特許文献に記載された技術によれば、携帯型プリンタが倒立状態となってフイルム排出口が塞がれたときには対処することができるものの、携帯型プリンタが把持された状態で使用され、フイルム排出口が指により塞がれたときには対処することができない。
【０００５】
特に、本出願人は、携帯型プリンタを、この携帯型プリンタに着脱自在な小型な撮像ユニットと組み合わせることにより、デジタル版インスタントカメラして使用することを提案しており、この場合には携帯型プリンタを把持して撮影及びプリントが行われることとなるため、撮影に気をとられフイルム排出口を指で塞いでしまうことが多くなると考えられる。
【０００６】
本発明は、上記事情を考慮してなされたもので、プリントを良好な状態で行うことにより、紙詰まりやプリント画像の画質低下を防止することを目的とする。
【課題を解決するための手段】
【０００７】
本発明は、内部に収納した記録媒体上に画像データに基づいて画像を記録し、この記録媒体を排出口から排出する携帯型プリンタに関し、前記排出口の近傍に設けられ、携帯型プリンタを把持する指が前記排出口に位置したときに、この指を検知する指検知手段と、前記指検知手段の検知結果に基づいてプリント動作を制限する制御手段とを備えたことを特徴とする。ここでのプリント動作とは、記録媒体上に画像を記録する画像記録動作と、記録媒体を排出する排出動作とを意味している。プリント動作は、画像記録動作及び排出動作を同時に行うものであってもよいし、画像記録動作後に排出動作を行うものであってもよい。
【０００８】
前記指検知手段が指を検知したときに警告を発する警告手段を備えることが好ましい。この警告手段を備えることにより、操作者は指が排出口に位置していることに気づくことができる。
【０００９】
前記指検知手段は指の接触を検知するタッチセンサであり、このタッチセンサは前記排出口に沿って設けられていることが好ましい。このようにタッチセンサを設けることにより、排出口のほぼ全領域をカバーすることができ、指が排出口に位置していることを確実に検知することができる。
【００１０】
前記記録媒体を前記排出口に向けて搬送しながら、この搬送する記録媒体上に画像を記録することが好ましい。このように、記録媒体を搬送しながら画像を記録する方式を採用する場合には、排出口が塞がれて記録媒体の搬送が妨げられるとプリント画像の画質が著しく低下してしまうことから、排出口に位置する指を検知することが非常に重要になる。
【００１１】
本発明のプリントシステムは、上記記載の携帯型プリンタと、撮影レンズ及び撮像素子を有し、前記携帯型プリンタに着脱自在に装着することに伴って携帯型プリンタとの間で電気的に接続される撮像ユニットとから構成され、前記携帯型プリンタ及び前記撮像ユニットのいずれか一方に設けられ、前記撮像ユニットを装着し且つ前記携帯型プリンタを把持した状態で操作されるレリーズボタンと、前記レリーズボタンの操作に応答して前記撮像素子により画像データを取得し、この画像データに基づいてプリント動作を行うプリント手段とを備えたことを特徴とする。携帯型プリンタと撮像ユニットとを組み合わせて使用する場合には、携帯型プリンタを把持した状態で撮影及びプリントが行われることとなり、排出口を指で塞いでしまうことが多くなると考えられることから、この指を検知してプリント動作の制限を行うことが紙詰まりやプリント画像の画質低下を防止するために非常に有効な手段となる。
【００１２】
前記制御手段は、前記指検知手段が指を検知している間は前記レリーズボタンを無効化することにより、プリント手段によるプリント動作を行わせないようにすることが好適である。もちろん、前記制御手段は、前記指検知手段が指を検知しているか否かに関係なく前記レリーズボタンの操作を有効にする一方、前記指検知手段が指を検知している間は撮影画像の画像データに基づくプリント動作を行わせないようにしてもよい。
【００１３】
本発明は、被写体を撮像素子により撮像して得られた画像データに基づいて、内部に収納した記録媒体上に画像を記録する印刷機能付きデジタルカメラに関し、画像記録後の記録媒体を排出する排出口の近傍に設けられ、デジタルカメラを把持する指が前記排出口に位置したときに、この指を検知する指検知手段と、前記指検知手段の検出結果に基づいてプリント動作を制限する制御手段とを備えたことを特徴とする。前記指検知手段が指を検知したときに警告を発する警告手段を備えることが好ましい。前記指検知手段は指の接触を検知するタッチセンサであり、このタッチセンサは前記排出口に沿って設けられていることが好ましい。前記記録媒体を前記排出口に向けて搬送しながら、この搬送する記録媒体上に画像を記録することが好ましい。
【発明の効果】
【００１４】
本発明によれば、記録媒体を排出する排出口に位置する指を検知する指検知手段と、この指検知手段の検知結果に基づいてプリント動作を制限する制御手段とを備えたので、プリント動作は排出口に指が位置しない良好な状態のときに行われることとなり、紙詰まりやプリント画像の画質低下が防止される。
【発明を実施するための最良の形態】
【００１５】
図１に示すように、本発明のプリントシステム２は、撮影機能を備えており、撮像ユニット３と、携帯型プリンタ（以下、プリンタ）４とから構成される。撮像ユニット３とプリンタ４とは共に略直方体形状であり、撮像ユニット３は必要に応じて着脱される。
【００１６】
撮像ユニット３の下面３ａにはＵＳＢコネクタ５が設けられている。このＵＳＢコネクタ５はプリンタ４の上面４ａに設けられたＵＳＢポート６に挿入することができる。ＵＳＢコネクタ５をＵＳＢポート６に挿入すると、撮像ユニット３がプリンタ４に対して固定されるとともに、撮像ユニット３とプリンタ４とが電気的に接続されデータ及び電力の授受が可能になる。
【００１７】
撮像ユニット３の上面には、上面に対して傾斜する傾斜面３ｃが形成されている。この傾斜面３ｃには、撮影時に押圧操作されるレリーズボタン１０が設けられている。レリーズボタン１０は、ＵＳＢコネクタ５が設けられた位置のほぼ反対側に位置することとなる。撮像ユニット３の前面３ｂには、レリーズボタン１０から近い側から順に、ファインダ１１の対物側窓１１ａ、撮影レンズ１２、ミラー１３が設けられている。ミラー１３は、自分自身を撮影する際に使用されるものである。撮像ユニット３の背面には、ファインダ１１の接眼側窓１１ｂが設けられている（図２参照）。
【００１８】
プリンタ４の前面４ｂにはグリップ２０が設けられている。このグリップ２０は、ゴム製であり、前面側から見て左側に配置され上下方向に延びるようにして設けられている。グリップ２０は、撮像ユニット３の装着時には、レリーズボタン１０の下方に位置することとなる。プリンタ４を把持した状態で、人差し指がレリーズボタン１０に届くようにされている。なお、グリップ２０の材質及び形状は上記に限られるものではない。
【００１９】
また、プリンタ４の前面４ｂにおいて、前面側から見て右側には、ＩｒＤＡ送受信部２１、電源ボタン２２、リピートボタン２３、カウンタ２４、警告用ＬＥＤ２８が設けられている。ＩｒＤＡ送受信部２１は、ＩｒＤＡに準拠した赤外線通信を行うことが可能であり、例えばデジタルカメラやカメラ付き携帯電話などから画像データを受信することができる。リピートボタン２３は、前回のプリントと同様のプリントを行う際に操作される。カウンタ２４は、プリンタ４に収納されているインスタントフイルム２６（図２参照）の残り枚数を表示する。警告用ＬＥＤ２８は、点滅することにより後述するフイルム排出口３１が指で塞がれていることを操作者に知らせ、また、点灯し続けることによりエラー状態であることを操作者に知らせる。
【００２０】
図２に示すように、プリンタ４の背面には、フイルム装填室（図示せず）を開閉するフイルムドア２５が設けられている。フイルム装填室には、フイルムドア２５を開放した状態で、複数枚のインスタントフイルム２６を装填することができる。
【００２１】
プリンタ４の下面４ｃには、下面４ｃから少しだけ突出するように形成された突出部３０が設けられている。図３に示すように、この突出部３０には、フイルム排出口３１と、タッチセンサ３２とが設けられている。フイルム排出口３１からは、画像記録後のインスタントフイルム２６が排出される。
【００２２】
タッチセンサ３２は、フイルム排出口３１に沿って設けられるとともに、フイルム排出口３１のグリップ２０を設けた側（図中右側）の端部を囲むようにして設けられている。タッチセンサ３２は、指が接触したときにインピーダンスが変化することを利用して、指が接触したことを検知するものである。指がタッチセンサ３２に接触しているときにはオン信号を出力し続け、指がタッチセンサ３２に接触していないときにはオフ信号を出力し続ける。これらの出力信号は、後述するプリンタ用システム制御部６０に入力される。
【００２３】
撮像ユニット３を装着したプリンタ４の要部側面図である図４に示すように、撮像ユニット３の前面３ｂがプリンタ４の前面４ｂに対して、Ｌ１だけ突出するようにされている。これにより、操作者がプリンタ４を把持したときに、指が撮像ユニット３の突出部位に引っ掛かり、この指が撮影レンズ１２のレンズ面上に侵入することを防ぐことができる。
【００２４】
プリントシステム２の電気的構成を示すブロック図である図５に示すように、撮像ユニット側において、撮影レンズ１２の後方にはＣＣＤイメージセンサ５０が配置されている。ＣＣＤイメージセンサ５０は、ＣＣＤ駆動部５１に接続されており、このＣＣＤ駆動部５１によって駆動を制御されている。ＣＣＤイメージセンサ５０は、光学的な被写体画像を電気的な撮像信号に変換して出力する。撮像信号はアンプ５３で適当なレベルに増幅された後、Ａ／Ｄ変換器５４によってデジタル変換されて画像データとなる。この画像データは、画像処理部５５に入力されて、階調変換、ホワイトバランス補正、γ補正等の各種画像処理が施される。なお、画像処理部５５はプリンタ側に設けることとしてもよい。
【００２５】
撮像ユニット用システム制御部５２では、プリンタ用システム制御部６０と交信を行いながら、撮像ユニット側の撮影処理などを管制している。撮像ユニット用システム制御部５２には、レリーズボタン１０が接続されている。レリーズボタン１０が有効化されているときにレリーズボタン１０が押圧操作されると、画像処理が施された画像データがＵＳＢコネクタ５及びＵＳＢポート６を介してプリンタ側へ送られ、この画像データがメモリ６１に書き込まれる。
【００２６】
ＩｒＤＡ送受信部２１で赤外線通信により画像データを受信した場合にも、画像データはメモリ６１に書き込まれる。
【００２７】
プリンタ用システム制御部６０は、撮像ユニット用システム制御部５２と交信を行いながら、プリンタ側のプリント処理などを管制している。プリンタ用システム制御部６０には、電源ボタン２２、リピートボタン２３が接続されている。プリンタ用システム制御部６０では、撮像ユニット３からの画像データを受信するか、ＩｒＤＡ送受信部２１を介して画像データを受信するか、またはリピートボタン２３が操作されたときに、プリントを指示する。
【００２８】
プリンタ用システム制御部６０にはタッチセンサ３２の出力信号が入力される。プリンタ用システム制御部６０では、タッチセンサ３２の出力信号がオン信号である場合には撮像ユニット用システム制御部５２を介してレリーズボタン１０を無効化し、一方、タッチセンサ３２の出力信号がオフ信号である場合には撮像ユニット用システム制御部５２を介してレリーズボタン１０を有効化する。
【００２９】
警告用ＬＥＤ２８は、プリンタ用システム制御部６０によって点灯が制御される。プリンタ用システム制御部６０では、タッチセンサ３２の出力信号がオン信号である場合には警告用ＬＥＤ２８を点滅させ、一方、タッチセンサ３２からの出力信号がオフ信号である場合には警告用ＬＥＤ２８を点灯させない。タッチセンサ３２の出力信号が所定時間（例えば２０秒）継続してオン信号であるときには、警告用ＬＥＤ２８を点滅から連続点灯に変えてエラーが生じている旨を操作者に知らせる。
【００３０】
プリンタ４には、インスタントフイルム２６を搬送する搬送機構６３が備えられ、この搬送機構６３は搬送機構駆動部６４によって制御される。搬送機構６３は、搬送ローラ及び展開ローラなどを有している。搬送ローラは、最も前面側にあるインスタントフイルム２６をフイルム排出口３１に向かって搬送する。展開ローラは、搬送されるインスタントフイルム２６を挟持することにより、インスタントフイルム２６に設けられた現像溜まりを押し潰して現像剤を展開する。
【００３１】
また、プリンタ４には、インスタントフイルム２６に画像を書き込むプリントヘッド６５が備えられ、このプリントヘッド６５はヘッド駆動部６６によって制御される。プリントヘッド６５は、Ｒ（赤）、Ｇ（緑）、Ｂ（青）の発光色を持つ３色のＬＥＤ、光ガイド、及び液晶シャッタなどを有している。３色のＬＥＤは順に発光し、各色光は光ガイドを経てインスタントフイルム２６上に導かれる。ここで、光路の途中には液晶シャッタが配置されており、この液晶シャッタにより各色光の透過量が画像データに応じて制御される。各色光が照射されたインスタントフイルム２６上には、主走査方向（インスタントフイルムの幅方向）に延びる１ライン分の潜像が記録されることとなる。インスタントフイルム２６は主走査方向に直交する副走査方向に搬送され、このインスタントフイルム２６上には順次ラインが記録されてゆく。潜像が記録された領域に現像剤が展開されると画像が顕在化する。
【００３２】
プリンタ内にはバッテリ６７が配置され、このバッテリ６７がプリンタ４の各部に電力を供給している。また、このバッテリ６７は、ＵＳＢポート６及びＵＳＢコネクタ５を介して、撮像ユニット３の各部にも電力を供給している。
【００３３】
以下、上記構成による作用を図６〜図８のフローチャートの流れに沿って説明する。ＵＳＢコネクタ５をＵＳＢポート６に挿入すると、撮像ユニット３がプリンタ４に対して固定されるとともに、撮像ユニット３とプリンタ４とが電気的に接続される。プリンタ４の電源ボタン２２を押圧操作すると、撮像ユニット３及びプリンタ４の各部が駆動する。
【００３４】
図９に示すように、撮像ユニット３が装着されたプリンタ４を把持する際には、右手の中指、薬指、及び小指で前面４ｂのグリップ２０を握り、人差し指をレリーズボタン１０にのせ、親指で背面を支えるようにする。ここで、撮像ユニット３の前面３ｂがプリンタ４の前面４ｂに対して突出するようにされているため、中指が撮像ユニット３の突出部位に引っ掛かって撮像ユニット３の前面３ｂに移動することがないことから、中指が撮影レンズ１２のレンズ面上に侵入することが防止される。
【００３５】
姿勢をより安定させる際には、右手で把持した側と反対側を左手で把持する。ここで、左手の指がフイルム排出口３１を塞いでいない場合には、レリーズボタン１０が有効化される。一方、左手の指がフイルム排出口３１を塞いだ場合には、レリーズボタン１０が無効化され、警告用ＬＥＤ２８が点滅する。
【００３６】
操作者が警告用ＬＥＤ２８の点滅による警告に気づき左手の指をフイルム排出口３１から移動させたときには、警告用ＬＥＤ２８が消灯し、レリーズボタン１０が有効化される。左手の指をフイルム排出口３１から所定時間移動させなかったときには、警告用ＬＥＤ２８が点滅から連続点灯に変わり、エラーとなる。
【００３７】
レリーズボタン１０が有効化されているときに、人差し指によりレリーズボタン１０を押圧操作すると、その時点における被写体画像の画像データが取得される。この画像データは画像処理が施された後にプリンタ側へ自動的に送信され、一旦メモリ６１に記録される。
【００３８】
装着された撮像ユニット３を用いて撮影が行われた場合には、この撮像ユニット３により取得された画像データがメモリ６１に記録され、この画像データがプリントデータとされる。また、撮像ユニット３以外の撮影機器、例えばデジタルカメラやカメラ付き携帯電話などの撮影機器から赤外線通信により画像データを受信した場合には、この画像データがメモリ６１に記録され、この画像データがプリントデータとされる。さらに、画像データを受信せずに、リピートボタン２３が操作された場合には、メモリ６１に記録されている画像データ、つまり前回のプリントで用いられたものと同様の画像データがプリントデータとされる。
【００３９】
プリンタ４では、メモリ６１に記録された画像データに基づくプリントの準備動作が行われる。左手の指がフイルム排出口３１を塞いでいない場合には、プリント動作（画像記録動作及び排出動作）が許可される。一方、左手の指がフイルム排出口３１を塞いでいる場合には、プリント動作が禁止され、警告用ＬＥＤ２８が点滅する。
【００４０】
操作者が警告用ＬＥＤ２８の点滅による警告に気づき左手の指をフイルム排出口３１から移動させたときには、警告用ＬＥＤ２８が消灯し、プリント動作が許可される。左手の指をフイルム排出口３１から所定時間移動させなかったときには、警告用ＬＥＤ２８が点滅から連続点灯に変わり、エラーとなる。
【００４１】
プリント動作が許可されると、搬送機構６３が駆動してインスタントフイルム２６の搬送が開始され、このインスタントフイルム２６の搬送に合わせてプリントヘッド６５により１ラインずつ潜像が記録されてゆく。この潜像が記録された領域には搬送に合わせて現像剤が展開されて画像が顕在化されてゆき、画像記録後のインスタントフイルム２６がフイルム排出口３１から排出される。レリーズボタン１０を押圧操作するだけで自動的にプリントが行われることとなり、操作者は撮影直後にすぐに写真を手にすることができる。再びプリントを行う場合には、上記動作が繰り返される。全てのプリントを終え、電源ボタン２２を押圧操作すると、撮像ユニット３及びプリンタ４の各部の駆動が停止される。
【００４２】
本発明によれば、プリント動作はフイルム排出口３１に指が位置しない良好な状態のときに行われることとなり、紙詰まりやプリント画像の画質低下が防止される。特に、本実施形態のように、携帯型プリンタ４と撮像ユニット３とを組み合わせて使用する場合には、撮影に気をとられてフイルム排出口３１を指で塞いでしまうことが多くなると考えられることから、本発明が有効である。
【００４３】
なお、上記実施形態では、指検知手段としてタッチセンサを用いたが、この替わりに光センサを用いてもよい。図１０に示すように、光センサ１００，１０１をそれぞれ突出部３０の両端部近傍（フイルム排出口３１の両端部近傍）に設ける。光センサ１００，１０１は、赤外光を発する投光素子と、赤外光を検出する受光素子とを有し、これらの素子を赤外光のみを透過させるカバーにより覆っている。投光素子と受光素子との間には遮光壁が設けられ、投光素子から発された赤外光が直接に受光素子に入射するのを防止している。光センサ１００，１０１では、受光素子に入射する赤外光の光量を検出し、この光量が閾値を超えたとき（つまり指が光センサ近傍にあるとき）にオン信号を出力し、光量が閾値を下回るとき（つまり指が光センサ近傍にないとき）にオフ信号を出力する。出力信号はプリンタ用システム制御部６０に入力される。なお、光センサの数及び配置場所は上記に限られない。
【００４４】
上記実施形態では、ＵＳＢポートをプリンタの上面に設けたが、他の面に設けてもよい。例えば、図１１に示すように、プリンタの側面にＵＳＢポート１１０を設けてもよい。この場合には、グリップ２０（図１参照）の替わりに、グリップ１１１を設ける。撮影時には突出部３０に形成されたフイルム排出口３１は横方向を向くこととなり、インスタントフイルム２６は横方向に排出される。
【００４５】
上記実施形態では、警告手段として警告用ＬＥＤを用いたが、この替わりに警告音を発するスピーカなど、他のものを用いてもよい。
【００４６】
上記実施形態では、レリーズボタンを撮像ユニットに設けることとしたが、プリンタに設けることとしてもよい。また、上記実施形態では、撮像ユニットとプリンタとをＵＳＢコネクタを用いて接続することとしたが、他のコネクタを用いてもよい。また、撮像ユニットに、電気的に接続するコネクタに替えて、プリンタに機械的に取り付け可能にする取付部を設けるとともに、ＩｒＤＡ送受信部及びバッテリを設け、ＩｒＤＡ送受信部を介して画像データを送るようにしてもよい。
【００４７】
上記実施形態では、画像記録動作と排出動作とを同時に行う方式で説明したが、画像記録動作後に排出動作を行う方式であってもよい。この方式の場合には、紙詰まりを防止することができる。
【００４８】
上記実施形態では、指検知手段の検知結果を、レリーズボタンを無効化するか否かの判断、及びプリントを禁止するか否かの判断に用いたが、プリントを禁止するか否かの判断だけに用いることとしてもよい。この場合には、レリーズボタンを常に有効化しておく。
【００４９】
上記実施形態では、撮像ユニットが着脱自在な携帯型プリンタで説明したが、従来のような単独で用いられる携帯型プリンタに本発明を適用してもよい。また、撮像ユニットと携帯型プリンタとが一体的に固定されている印刷機能付きデジタルカメラに本発明を適用してもよい。
【図面の簡単な説明】
【００５０】
【図１】撮像ユニット及び携帯型プリンタの正面図である。
【図２】撮像ユニット及び携帯型プリンタの背面図である。
【図３】携帯型プリンタの下面図である。
【図４】撮像ユニットを装着した携帯型プリンタの要部側面図である。
【図５】プリントシステムの電気的構成を示すブロック図である。
【図６】プリントシステムによる撮影動作及びプリント動作の全体の流れを示すフローチャートである。
【図７】撮像ユニットを用いた撮影動作の流れを示すフローチャートである。
【図８】プリント動作の流れを示すフローチャートである。
【図９】プリントシステムの使用例を説明する説明図である。
【図１０】指検知手段として光センサを用いた場合における携帯型プリンタの下面図である。
【図１１】撮像ユニットを別の面に装着した場合における携帯型プリンタの正面図である。
【符号の説明】
【００５１】
２  プリントシステム
３  撮像ユニット
４  携帯型プリンタ
１０  レリーズボタン
２８  警告用ＬＥＤ
３１  フイルム排出口
３２  タッチセンサ
１１０，１１１  光センサ
【図１】
2007105940.tif 000003
【図２】
2007105940.tif 000004
【図３】
2007105940.tif 000005
【図４】
2007105940.tif 000006
【図５】
2007105940.tif 000007
【図６】
2007105940.tif 000008
【図７】
2007105940.tif 000009
【図８】
2007105940.tif 000010
【図９】
2007105940.tif 000011
【図１０】
2007105940.tif 000012
【図１１】
2007105940.tif 000013